(57)【特許請求の範囲】
【請求項１】
フロントケースとリアカバーにより筐体が形成され、フレームに形成されたガイド部材により位置決めされた状態で前記筐体内部に配設されたフレームの片面に背面液晶表示器が搭載され、前記背面液晶表示器に対向させて前記リアカバーに背面スクリーンが設けられる電子機器の背面ＬＣＤ固定構造であって、
前記ガイド部材は、前記背面スクリーン及び前記リアカバーに対して、直接的にも間接的にも非接触状態であることを特徴とする電子機器の背面ＬＣＤ固定構造。
【請求項２】
前記背面ＬＣＤは、その周辺部と前記背面スクリーンの裏面との間に防塵用の弾性部材が配設されていることを特徴とする請求項１記載の電子機器の背面ＬＣＤ固定構造。
【請求項３】
前記ガイド部材は、前記リアカバーの前記背面スクリーンの貼付面の端縁近傍に形成されていることを特徴とする請求項１記載の電子機器の背面ＬＣＤ構造。
【請求項４】
前記ガイド部材は、リブ構造、突起、又はピンであることを特徴とする請求項１又は請求項３記載の電子機器の背面ＬＣＤ構造。
【発明の詳細な説明】
【０００１】
【発明の属する技術分野】
本発明は、電子機器の背面ＬＣＤ固定構造に関し、特に、携帯電話機等のように背面液晶表示器（正面ＬＣＤ）と背面液晶表示器（背面ＬＣＤ）を備えた電子機器にあって、本体の厚みに背面ＬＣＤを位置決めするためのガイドリブが関与しないようにした電子機器の背面ＬＣＤ固定構造に関する。
【０００２】
【従来の技術】
例えば、携帯電話機やＰＨＳ(Personal Handyphone System)電話機等の電子機器においては、１００グラムを切る小型軽量化が要求されるため、内蔵する部品の高集積度化や小型軽量化のほか、筐体の薄型化が要求される。携帯電話機やＰＨＳ電話機では、多機能化や搭載機能の増加に伴って、設定内容や電話番号等を表示する大型の正面ＬＣＤ（液晶表示器）の他に、背面にも小型のＬＣＤが設けられており、着信の有無や時計表示を行っている機種がある。携帯電話機等では、携帯性を考慮して筐体を設計する必要があるが、背面ＬＣＤを備えた機種の筐体の薄型化には、他の機種と異なる配慮が必要である。
【０００３】
図５は、背面ＬＣＤを備えた電子機器における従来の背面ＬＣＤ固定構造を示す。フロントケース２１の所定位置には、透明な正面スクリーン２２が貼着され、この正面スクリーン２２の内側には正面ＬＣＤ２３が配設されている。フロントケース２１の内部にはＬＣＤフレーム２４が配設されており、このＬＣＤフレーム２４を介挿するようにして、フロントケース２１の裏面にはリアカバー２５が装着される。リアカバー２５は、透明な背面スクリーン２６を配設するための開口及び背面スクリーン２６の周辺を固定するための段差部２５ａ（背面スクリーン貼付面）が形成されている。背面スクリーン２６は、段差部２５ａに両面接着テープ等により固定される。この段差部２５ａに対向させてＬＣＤフレーム２４には、ガイドリブ２７が突堤状に設けられており、防塵用の弾性部材である防塵クッション２８を介して段差部２５ａの裏面とガイドリブ２７の頂部が接している。背面スクリーン２６の対向面のＬＣＤフレーム２４上には、ガイドリブ２７で位置決めされるようにして、背面ＬＣＤ２８が搭載されている。また、ＬＣＤフレーム２４上には、制御部、無線部等の半導体部品が実装された印刷配線基板２９が搭載されている。
【０００４】
図５の構成では、ＬＣＤフレーム２４のガイドリブ２７が背面スクリーン２６の貼付面の裏面になるように配置され、ガイドリブ２７と背面ＬＣＤ２８にまたがるように防塵クッション２８が設けられている。この防塵クッション２８がリアカバー２５の段差部２５ａ（背面スクリーン貼付面）の裏面で押さえられることで、密閉構造が確保されている。
【０００５】
【発明が解決しようとする課題】
しかし、従来の背面ＬＣＤ固定構造によると、ガイドリブ２７と背面スクリーン貼付面（段差部２５ａ）を対向させ、両者間に防塵クッション２８を配設しているため、携帯電話機等の厚さ方向における薄型化に限度がある。
【０００６】
また、背面スクリーン２６側から荷重がかかった時、ガイドリブ２７と背面ＬＣＤ２８が防塵クッション２８を通して押圧されるため、正面ＬＣＤ２３及び背面ＬＣＤ２８が破損し易い構造になっている。
【０００７】
したがって、本発明の目的は、本体の厚みを薄くしながら、本体の厚み方向に押圧荷重が加わってもＬＣＤを保護できるようにした電子機器の背面ＬＣＤ固定構造を提供することにある。
【０００８】
【課題を解決するための手段】
本発明は、上記の目的を達成するため、フロントケースとリアカバーにより筐体が形成され、フレームに形成されたガイド部材により位置決めされた状態で前記筐体内部に配設されたフレームの片面に背面液晶表示器が搭載され、前記背面液晶表示器に対向させて前記リアカバーに背面スクリーンが設けられる電子機器の背面ＬＣＤ固定構造であって、前記ガイド部材は、前記背面スクリーン及び前記リアカバーに対して、直接的にも間接的にも非接触状態であることを特徴とする電子機器の背面ＬＣＤ固定構造を提供する。
【０００９】
この構造によれば、ガイドリブがリアカバー及び背面スクリーンの各裏面に対して、直接に非接触であり、かつ間接的にも非接触（防塵クッション等を介在させた状態）であるため、背面スクリーン側からの荷重は分散され、背面ＬＣＤや正面ＬＣＤが破損されるのを防止できるようになる。さらにガイドリブの上端に防塵クッションを設けていないので、〔背面スクリーン貼付面の厚み＋防塵クッション〕の分だけ薄型化及び軽量化が可能になる。
【００１０】
【発明の実施の形態】
以下、本発明の実施の形態を図面に基づいて説明する。
図１は本発明による電子機器の背面ＬＣＤ固定構造を示す。また、図２は図１の背面ＬＣＤ固定構造の主要部を示す。以下においては、電子機器として折り畳み型の携帯電話機をとりあげて説明すると共に、従来と構造の異なる上側筐体についてのみ図示し、従来構造と変わらない下側筐体については図示を省略する。さらに、ＬＣＤフレームや印刷配線基板上には、各種の部品が実装されているが、ここでは殆どの図示を省略している。
【００１１】
図１に示すように、上側筐体のフロントケース１は正面ＬＣＤ表示部を有し、この正面ＬＣＤ表示部には透明プラスチックによる正面スクリーン２が両面接着テープ等により貼付される。フロントケース１の内側に配設されたＬＣＤフレーム３は、正面ＬＣＤ取付部（図１の下側）と背面ＬＣＤ取付部（図１の上側）を備え、背面ＬＣＤ取付部には背面ＬＣＤ６の厚さよりも高さのあるガイドリブ４（ガイド部材）が設けられている。ガイドリブ４は例えばＬ字形を成しており、その内側に背面ＬＣＤ６が位置決めされる。フロントケース１に嵌合されるリアカバー７には、透明プラスチックによる背面スクリーン９を貼付する背面スクリーン貼付面８が形成されている。この背面スクリーン貼付面８は、背面スクリーン９の厚み相当の段差を有するように形成されている。ＬＣＤフレーム３の背面には、制御部、無線部等の半導体部品が実装された印刷配線基板１０が搭載されている。
【００１２】
図２に示すように、ガイドリブ４の端部（図２の上端）と背面ＬＣＤ６の背面との間には、スポンジ、柔らかいゴム等による防塵クッション１１が配設されている。また、ＬＣＤフレーム３とフロントケース１の正面スクリーン２の正面スクリーン貼付面１ａとの間には、防塵クッション１２が配設されている。
【００１３】
図１に示すように、印刷配線基板１０と正面ＬＣＤ５の間の電気的な接続は、フレキシブル基板１３を用いて行われる。また、下側筐体との結合はヒンジ部１４を介して行われる。なお、３ａはスピーカ搭載部、３ｂ，３ｃは実装されている電子部品である。
【００１４】
以上のように、ガイドリブ４と背面スクリーン９の背面（裏面）との間は、直接にも間接的にも非接触であるために空間が形成されており、ガイドリブ４上には防塵クッション１１が設けられていないため、背面スクリーン９（又は、この近傍のリアカバー７）に外圧が加わったとしても、防塵クッション１１を介して背面ＬＣＤ６に或る程度の圧力が加わるものの、それ以上の強い圧力が加わった場合にはガイドリブ４に背面スクリーン９の裏面が当接して、背面スクリーン９（又は、この近傍のリアカバー７）の変化をくい止めるので、背面スクリーン９側からの荷重は分散される。このため、従来のように、背面ＬＣＤ６や正面ＬＣＤ５が破損される恐れはない。
【００１５】
さらに、ガイドリブ４と背面スクリーン貼付面８の平面上の位置がずれており（重なりを持たない位置関係）、両者間に防塵クッション１１が介在していないため、薄型化が可能になる。例えば、防塵クッション１１の厚みを０．４ｍｍとした場合、従来構造では、両面接着テープの厚み０．１５ｍｍ＋背面スクリーン貼付面８の厚み０．７ｍｍ＋防塵クッション１１の厚み０．４ｍｍ＝１．２５ｍｍが背面スクリーン９の裏面から背面ＬＣＤ６の上面までの距離であったのに対し、本実施の形態では図２から明らかなように、防塵クッション１１の厚み分の０．４ｍｍにすることができる。すなわち、１．２５ｍｍ−０．４ｍｍ＝０．８５ｍｍの短縮が可能になり、その分だけ薄型化が可能になる。
【００１６】
また、本発明の実施の形態によれば、デザインの自由度の向上が可能になる。携帯電話機においては、最小形状に肉付けを行う形でデザイン設計が行われる。したがって、極力小さく薄い筐体構造であった方が天面Ｒ等を極端に大きくすることなく付けられるので、デザインとしては選択の幅が広がる。すなわち、デザインの自由度を向上できることになる。
【００１７】
図３及び図４は、本発明の電子機器（ここでは携帯電話機）の全体の分解状態を示し、図３はフロントケース１側、図４はリアカバー７側を示す。組立手順を説明すると、まず、図３に示すように、正面ＬＣＤ５がＬＣＤフレーム３に取り付けられ、その反対面には、図４に示すように背面ＬＣＤ６と印刷配線基板１０が取り付けられる。次に、このように、ユニット状にアッセンブリされた状態のＬＣＤフレーム３が、フロントケース１に取り付けられる。ついで、アンテナ１５を備えたリアカバー７が、フロントケース１に嵌合される。この際、ＬＣＤフレーム３上のガイドリブ４と背面ＬＣＤ６は、背面スクリーン９の背面から離間した状態になり、背面スクリーン９の裏面まではクリアランスのある寸法関係になっている。この状態において、リアカバー７に設けられている背面ＬＣＤ用の開口部を通して（この時点では、まだ背面スクリーン９は装着されていない）、背面ＬＣＤ６の表面の周辺部に防塵クッション１１が配設された後、背面スクリーン９がリアカバー７の背面スクリーン貼付面８の部分に貼付される。さらに、図３のように、正面スクリーン２が、フロントケース１の正面スクリーン貼付面１ａに両面接着テープ（図示せず）を用いて貼付される。
【００１８】
上記実施の形態において、防塵クッション１１はガイドリブ４の内側（背面ＬＣＤ６上面）に設けたが、外側（背面スクリーン貼付面８と印刷配線基板１０の間、又はリアカバー７の裏面と印刷配線基板１０の間）に配置してもよい。或いは、防塵クッション１１を設けないこともできる。また、背面ＬＣＤ６は別ユニットにし、ＬＣＤフレーム３又は印刷配線基板１０にアッセンブリする構造にしてもよい。
【００１９】
さらに、本実施の形態では、ガイドリブ４の上部に防塵クッション１１が配設されないため、背面ＬＣＤ６の端面と背面スクリーン貼付面８の端面の平面方向のクリアランスが正確にとれる場合には、ガイドリブ４は背面ＬＣＤ６の位置決めに支障が出ない程度まで低くすることもできる。或いは、背面ＬＣＤ６の位置決めが他の手段によって確保できる場合には、ガイドリブ４を無しにすることもできる。また、ガイド部材は、ガイドリブ４に限定されるものではなく、このようなリブ構造のほか、例えば、突起（幅の広い突堤形、又は幅の狭い凸部）、又は複数のピンであってもよい。
【００２０】
また、上記実施の形態においては、リアカバー７に段差状に背面スクリーン貼付面８を設けて背面スクリーン９を装着するものとしたが、背面スクリーン貼付面８を段差状にせず、リアカバー７上に開口のみを設けて背面スクリーン９を装着する構成であってもよい。この場合には、ガイドリブ４をリアカバー７の背面に位置するように形成することができる。
【００２１】
さらに、上記実施の形態においては、電子機器として折り畳み型の携帯電話機について説明したが、携帯電話機においては折り畳み型のほか、ストレート型にも適用可能であることは言うまでもない。また、電子機器は、携帯電話機、ＰＨＳに限定されるものではなく、例えば、ＰＤＡ（Personal Digital Assistant）装置、業務用携帯無線機、液晶表示器を備えた携帯型の測定器（テスター等）等にも適用可能である。
【００２２】
【発明の効果】
以上より明らかなように、本発明の背面ＬＣＤ固定構造によれば、ガイド部材がリアカバー及び背面スクリーンのいずれに対しても直接及び間接的に非接触であるようにしたため、背面スクリーン側からの荷重がガイド部材に直接加わらないため、背面ＬＣＤや正面ＬＣＤが破損されるのを防止できる。さらに、ガイド部材の上端部に防塵クッションを設けていないので本体の厚みを薄くでき、薄型化及び軽量化が可能になる。また、デザインの自由度を向上できる。
【図面の簡単な説明】
【図１】本発明による電子機器の背面ＬＣＤ固定構造を示す断面図である。
【図２】図１の背面ＬＣＤ固定構造の主要部を示す断面図である。
【図３】フロントケース側の組み立て手順を示す分解斜視図である。
【図４】リアカバー７側の組み立て手順を示す分解斜視図である。
【図５】従来の電子機器の背面ＬＣＤ固定構造の主要部を示す断面図である。
【符号の説明】
１  フロントケース
１ａ  正面スクリーン貼付面
２  正面スクリーン
３  ＬＣＤフレーム
３ａ  スピーカ搭載部
３ｂ，３ｃ  電子部品
４  ガイドリブ
５  正面ＬＣＤ
６  背面ＬＣＤ
７  リアカバー
８  背面スクリーン貼付面
９  背面スクリーン
１０  印刷配線基板
１１  防塵クッション
１２  防塵クッション
１３  フレキシブル基板
１４  ヒンジ部
１５  アンテナ
２１  フロントケース
２２  正面スクリーン
２３  正面ＬＣＤ
２４  ＬＣＤフレーム
２５  リアカバー
２５ａ  段差部（背面スクリーン貼付面）
２６  背面スクリーン
２７  ガイドリブ
２８  防塵クッション
２９  印刷配線基板
【図１】
0003716216.tif 000002
【図２】
0003716216.tif 000003
【図３】
0003716216.tif 000004
【図４】
0003716216.tif 000005
【図５】
0003716216.tif 000006